(57)【要約】【課題】複数の目的に使用できると共に、コンパクトにして持ち運び、保管でき、しかも全体処理による使用と局所処理による使用に適している送風式薬剤放散装置とする。【解決手段】吸込口１１と吐出口１２を有した装置本体１に放出体２をヒンジ３で収納姿勢と張り出し姿勢とに亘って回動自在に取付け、その放出体２を張り出し姿勢としてファン１３を駆動することで吐出口１２から放出体２内に空気が流れて第２の薬剤２４を大気に放散し、前記放出体２を収納姿勢とすることで放出体２内には空気が流通せずに装置本体１に取付けた第１の薬剤１５を大気に放散できるようにした送風式薬剤放散装置。【選択図】図１
2008263813.tif 000002
【特許請求の範囲】
【請求項１】
吸込口１１と、吐出口１２と、吸込口１１側の薬剤取付部１４を有すると共に、ファン１３を備え、このファン１３を駆動することで前記吸込口１１から空気を吸い込んで吐出口１２から放出する装置本体１と、
流入口２０と流出口２１が流路２２で連通され、その流路２２に第２の薬剤２４が設けてあり、前記装置本体１に収納姿勢と張り出し姿勢に回動自在にヒンジ３で取付けた放出体２と、
前記装置本体１の薬剤取付部１４に着脱自在に取付け可能な第１の薬剤１５を備え、
前記放出体２が収納姿勢の時には、その放出体２は装置本体１に重なり合うと共に、前記装置本体１の吐出口１２が直接外部に開口し、
前記放出体２が張り出し姿勢の時には、前記装置本体１の吐出口１２と放出体２の流入口２０が連通し、その放出体２の流出口２１が装置本体１から離隔した位置となるようにしたことを特徴とする送風式薬剤放散装置。
【請求項２】
装置本体１に放出体２をヒンジ３で、収納姿勢と張り出し姿勢とに亘って上下回動自在に取付け、
前記放出体２が張り出し姿勢の時に、前記装置本体１の吐出口１２の開口端面１２ａと放出体２の流入口２０の開口端面２０ａが接して吐出口１２と流入口２０が連通するようにした請求項１記載の送風式薬剤放散装置。
【請求項３】
装置本体１に放出体２をヒンジ３で、収納姿勢と張り出し姿勢とに亘って水平方向に回動自在に取付け、
前記ヒンジ３は、放出体２が収納姿勢の時には吐出口１２を直接外部に開口し、前記放出体２が張り出し姿勢の時には吐出口１２と流入口２０を連通する形状である請求項１記載の送風式薬剤放散装置。
【請求項４】
装置本体１に放出体２をヒンジ３で、収納姿勢と張り出し姿勢とに亘って上下回動自在に取付け、
前記ヒンジ３は、放出体２が収納姿勢の時には吐出口１２を直接外部に開口し、前記放出体２が張り出し姿勢の時には吐出口１２と流入口２０を連通する形状である請求項１記載の送風式薬剤放散装置。
【請求項５】
放出体２の流路２２に、第２の薬剤を、その第２の薬剤の表面に沿って空気が流通するように取付けした請求項１〜４いずれか１項に記載の送風式薬剤放散装置。
【発明の詳細な説明】
【技術分野】
【０００１】
本発明は、快適な居住空間を得るために、害虫の防除、悪臭の消臭、芳香消臭、芳香、又は防菌や防黴、などの目的に供する揮散性の薬剤を大気に放散する送風式薬剤放散装置に関する。
【背景技術】
【０００２】
従来から快適な生活空間を得るために、芳香剤、消臭剤、除菌剤、殺虫剤、害虫忌避剤等の揮散性薬剤を気中に放散させ、香りを楽しんだりニオイを消したり、あるいは害虫を防除する等している。
これら揮散性薬剤を気中に放散させるものとしては、昨今、ファンを用いた送風式薬剤放散装置が芳香剤等の揮散性薬剤を短時間で拡散できる利便性から多くの提案がされている。
この送風式薬剤放散装置は、装置内に形成した吸込口と吐出口との気流通路にファンを具備したものであって、その吸込口、または吐出口に薬剤取付部を設け、その薬剤取付部に揮散性薬剤を保持した薬剤保持体を配設し、ファンの回転により発生する気流に揮散性薬剤を乗せ、吐き出し口から気中に放散するものである。
【０００３】
前述の送風式薬剤放散装置は、個々の目的に応じた単一薬剤を利用したものであり、例えば芳香用、消臭用、または飛翔害虫用、匍匐害虫用等とそれぞれ専用の送風式薬剤放散装置である。
このために、それぞれの目的に応じた送風式薬剤放散装置を準備する必要がある。もし１台の送風式薬剤放散装置で、複数の目的に使用することができれば便利である。
【０００４】
また、送風式薬剤放散装置が各々の目的に専用的に使用される場合、その使用する時期として、芳香消臭はトイレなどで臭い消しを兼ねた芳香消臭剤が年間を通して使用されるが、その他の目的については、例えば害虫防除は、蚊などの吸血飛翔害虫を防除する害虫防除器の使用期間は、通常夏場時期の約３ヶ月、長くて春終わりから秋中ごろまでの６ヶ月前後であり、また消臭や防菌防黴は、その被害を感じた時や生じた時に使用する、芳香剤はその雰囲気をかもし出す時に使用する、などと使用しない時期が長いものも多い。その間その保管場所を忘れたり、紛失することが多い。１台の送風式薬剤放散装置でこれら各目的が達成できるものがあれば、年間を通して使えるので経済効果が高い。
【０００５】
また、１台の送風式薬剤放散装置で異なる種類の薬剤を装着して使用する場合、通常、薬剤を装着する薬剤取付部、また薬剤成分を含有する空気が流通する装置内の空気通過路には、僅かであるが薬剤が付着、さらに使用を継続することで付着物が蓄積する。
このことから同一の薬剤を使用する場合は問題ないが、同じ薬剤取付部に異なる薬剤を使用する場合、使用した別の薬剤の付着物が混在する懸念がある。
特に、害虫を対象とする害虫防除剤と人間を対象とする芳香剤を兼用する場合、すなわち有毒イメージの害虫防除剤と無毒イメージの芳香剤とでは、安全イメージが全く違うことことから芳香剤使用時に害虫防除剤が混在する不安がある。
【０００６】
前述のことを解消して複数の目的に使用することができる送風式薬剤放散装置が特許文献１に開示されている。
この送風式薬剤放散装置は、送風機を備えた装置本体の吸込口と吐出口とに薬剤保持体をそれぞれ設け、送風機を駆動することで各々の薬剤保持体の揮散性の薬剤を大気に放散するようにしてある。
【０００７】
【特許文献１】特開２００３−３０４７９１号公報
【発明の開示】
【発明が解決しようとする課題】
【０００８】
前述の従来の送風式薬剤放散装置は、装置本体に２つの薬剤取付部を有しているから、装置本体が大型化し、持ち運びが困難であり、いろいろな場所で複数の目的に使用するために持ち運びすることが多いので、大変不便である。
【０００９】
また、前述した送風式薬剤放散装置を居住空間で使用する場面として、台所、居間、寝室など居室空間の全体処理による使用と、限られた部分の局所処理による使用に大別される。
前記局所処理場面として、害虫防除について、害虫が生息している場所、害虫による被害場所、例えばゴキブリ、アリなどの匍匐害虫の好む住処である暗くて湿気の多い場所（流しの排水溝など）、暗くて狭い場所（冷蔵庫、食器棚、レンジなどと床面との空間、壁面との空間、侵入口である穴など）などが挙げられる。
また、害虫個体や害虫集団、例えば蚊、ハエなどの飛翔害虫やゴキブリ、アリなどの匍匐害虫に向かって直接処理する、なども挙げられる。
【００１０】
前述した特許文献１に開示された送風式薬剤放散装置は、全体処理による使用に適するが、局所処理による使用には適さない。特に、狭い空間の処理による使用には適さない。
すなわち、特許文献１に開示した送風式薬剤放散装置のチャンバは幅広く、高い大きさであるから、狭い空間に挿入することができないので、狭い空間に薬剤を効率良く放散することができない。
【００１１】
本発明の目的は、複数の目的に使用できること、コンパクトにて持ち運び、保管できること、全体処理による使用と局所処理による使用の両方に適していること、を満足した送風式薬剤放散装置とすることである。
【課題を解決するための手段】
【００１２】
第１の発明は、吸込口１１と吐出口１２と吸込口１１側の薬剤取付部１４を有すると共に、ファン１３を備え、このファン１３を駆動することで前記吸込口１１から空気を吸い込んで吐出口１２から放出する装置本体１と、
流入口２０と流出口２１が流路２２で連通され、その流路２２に第２の薬剤２４が設けてあり、前記装置本体１に収納姿勢と張り出し姿勢に回動自在にヒンジ３で取付けた放出体２と、
前記装置本体１の薬剤取付部１４に着脱自在に取付け可能な第１の薬剤１５を備え、
前記放出体２が収納姿勢の時には、その放出体２は装置本体１に重なり合うと共に、前記装置本体１の吐出口１２が直接外部に開口し、
前記放出体２が張り出し姿勢の時には、前記装置本体１の吐出口１２と放出体２の流入口２０が連通し、その放出体２の流出口２１が装置本体１から離隔した位置となるようにしたことを特徴とする送風式薬剤放散装置である。
【００１３】
第２の発明は、第１の発明において、装置本体１に放出体２をヒンジ３で、収納姿勢と張り出し姿勢とに亘って上下回動自在に取付け、
前記放出体２が張り出し姿勢の時に、前記装置本体１の吐出口１２の開口端面１２ａと放出体２の流入口２０の開口端面２０ａが接して吐出口１２と流入口２０が連通するようにした送風式薬剤放散装置である。
【００１４】
第３の発明は、第１の発明において、装置本体１に放出体２をヒンジ３で、収納姿勢と張り出し姿勢とに亘って水平方向に回動自在に取付け、
前記ヒンジ３は、放出体２が収納姿勢の時には吐出口１２を直接外部に開口し、前記放出体２が張り出し姿勢の時には吐出口１２と流入口２０を連通する形状である送風式薬剤放散装置である。
【００１５】
第４の発明は、第１の発明において、装置本体１に放出体２をヒンジ３で、収納姿勢と張り出し姿勢とに亘って上下回動自在に取付け、
前記ヒンジ３は、放出体２が収納姿勢の時には吐出口１２を直接外部に開口し、前記放出体２が張り出し姿勢の時には吐出口１２と流入口２０を連通する形状である送風式薬剤放散装置。
【００１６】
第５の発明は、第１〜第４いずれか１つの発明において、放出体２の流路２２に、第２の薬剤を、その第２の薬剤の表面に沿って空気が流通するように取付けした送風式薬剤放散装置。
【発明の効果】
【００１７】
請求項１に係る発明によれば、放出体２を収納姿勢として装置本体１の薬剤取付部１４に第１の薬剤１５を取付けてファン１３を駆動することで、第１の薬剤１５を大気に放散できるし、前記放出体２を張り出し姿勢として第１の薬剤１５を取り外した状態でファン１３を駆動することで第２の薬剤２４を大気に放散できる。
したがって、第１の薬剤１５、第２の薬剤２４のいずれかを選択して大気に放散できるから、複数の目的に使用できる。
【００１８】
また、第１の薬剤１５を大気に放散する時に、その第１の薬剤１５を含有した空気は放出体２の流路２２を流通しないので、第２の薬剤２４が混合することなく、第１の薬剤１５のみを大気に放散できる。
したがって、第１の薬剤１５を人間を対象とする芳香剤とし、第２の薬剤２４を害虫を対象とする害虫防除剤とすることで、芳香剤を害虫防除剤が混在することなく放散でき、安全であるし、害虫防除剤を放出体２から狭い空間に効率良く放散できる。
【００１９】
また、放出体２を収納姿勢とすればコンパクトにできるから、コンパクトにして持ち運び、保管できる。
【００２０】
また、放出体２を収納姿勢とすれば全体処理による使用に適し、放出体２を張り出し姿勢とすれば局所処理による使用に適する。
【００２１】
第２の発明によれば、放出体２を張り出し姿勢とした時に吐出口２０の開口部の全てと流入口２０の開口部の全てが連通するので、ファン１３の駆動による空気がスムーズに放出体２の流路２２に流れ、その空気を有効利用して第２の薬剤２４を効率良く、多量に放散することが可能である。
【００２２】
第３の発明によれば、放出体２が水平方向に回動するので、上下寸法の小さな狭い空間内で放出体２を張り出し姿勢とすることができる。
【００２３】
第４の発明によれば、放出体２が上下方向に回動するから、左右寸法の小さな狭い空間内で放出体２を張り出し姿勢とすることができる。
【００２４】
第５の発明によれば、第２の薬剤２４の表面に沿って空気が流れ、第２の薬剤２４が空気の流れ抵抗となることが少なく、ファン１３による空気流れを有効利用して薬剤を大気に効率良く放散できる。
【発明を実施するための最良の形態】
【００２５】
本発明の第１の実施の形態を図１〜図４に基づいて説明する。
装置本体１と放出体２をヒンジ３で図１、図２に示す張り出し姿勢と図３に示す収納姿勢とに亘って回動自在に連結してある。
前記装置本体１は空気流通路１０を有し、その空気流通路１０は吸込口１１と吐出口１２で外部に開口し、ファン１３を駆動することで吸込口１１から空気を吸い込み、吐出口１２から吐出する。
前記装置本体１には薬剤取付部１４が設けてある。例えば、吸込口１１の開口縁に沿って複数の突起１４ａが設けてある。
図３に示すように、薬剤取付部１４に第１の薬剤１５が着脱自在で、第１の薬剤１５を取付けた状態で、前述のファン１３を駆動することで空気流通路１０を流通する空気が薬剤１５に触れて薬剤（有効成分）を含有した空気として吐出口１２から吐出する。
【００２６】
前記放出体２は長尺で扁平な筒形状で、流入口２０、流出口２１、その流入口２０と流出口２１を連通する流路２２を有している。
この放出体２には薬剤取付部２３が設けてある。例えば、前記流路２２の流入口２０側部分を薬剤取付部２３としてある。
この薬剤取付部２３には第２の薬剤２４が取付けてある。例えば筒形状の薬剤保持体に薬剤（薬効成分）を含浸させた第２の薬剤２４が流入口２０から流路２２内に嵌合して取付けてある。
この第２の薬剤２４は取付け、取り外し自在で、薬剤２４を交換できるようにしてある。
【００２７】
この放出体２が図３に示す収納姿勢であると、装置本体１と放出体２は重なり合い、その放出体２の流入口２０は装置本体１の吐出口１２と離れ、その吐出口１２は外部に開口する。
前記放出体２が図１、図２に示すように張り出し姿勢であると、放出体２の流入口２０と装置本体１の吐出口１２が連通し、流出口２１が装置本体１から離隔した位置となる。
【００２８】
このようであるから、装置本体１に対して放出体２を図３に示す収納姿勢とすると共に、第１の薬剤１５を取付けた状態としてファン１３を駆動することで、第１の薬剤１５に触れて薬剤を含有した空気は装置本体１の吐出口１２から外部に直接放散され、その第１の薬剤１５に触れて薬剤を含有した空気が流通する経路が短く、その空気に含有した薬剤が経路に付着することがなく、外部に放散する薬剤の量が少なくなることがなく、ほぼ全量の薬剤を外部に放散することが可能である。
しかも、装置本体１と放出体２が重なり合い、全長が短く、設置スペースを小さくできる。
これらが相俟って、全体処理による使用に適する送風式薬剤放散装置である。
例えば、居室空間のテーブル等の上に置いて居室空間全体に薬剤を放散して居室空間の全体処理に使用する際に、その薬剤を居室空間の全体に効率良く放散することができる。
【００２９】
また、前述のように装置本体１に対して放出体２を収納姿勢とすることで、装置全体がコンパクトになり、持ち運びや保管を容易にできる。
【００３０】
前記装置本体１に対して放出体２を図１、図２に示す張り出し姿勢とすると共に、第１の薬剤１５を取り外した状態としてファン１３を駆動することで、空気は装置本体１の吐出口１２から放出体２の流入口２０に流入し、第２の薬剤２４に触れながら流れるので、第２の薬剤２４の薬剤を含有した空気となり、その空気が放出体２の流出口２１から外部に放散されるから、装置本体１から遠く離れた位置（流出口２１）から第２の薬剤２４の薬剤を外部に放散することができ、局所処理による使用に適する送風式薬剤放散装置である。
例えば、冷蔵庫、食器棚、レンジなどの物と床面との間の上下寸法の小さな狭い空間、前記物と壁面との間の左右寸法の小さな狭い空間に、放出体２を挿入して、その狭い空間の奥に向けて薬剤を含有した空気を放出することで、その狭い空間に薬剤を効率良く放散することができる。
【００３１】
また、第２の薬剤２４は筒形状で、その表面に沿って空気が流れ、流通抵抗が大きくならないので、ファン１３による空気流れを有効利用して効率良く薬剤を放散できる。
【００３２】
また、第１の薬剤１５を放散する時には第２の薬剤２４は放散されることがなく、第２の薬剤２４を放散する時には第１の薬剤１５を取り外して第２の薬剤２４のみを放散することができる。
したがって、第１の薬剤１５と第２の薬剤２４のいずれか一方を選択して放散できるから、複数の目的に使用することができる。
例えば、第１の薬剤１５を人間を対象とする芳香剤とし、第２の薬剤２４を害虫を対象とする害虫防除剤とすれば、芳香剤を使用して放散する時には害虫防除剤が混在することがなく、安全であるし、害虫防除剤を使用して放散する時には狭い空間に効率よく放散できる。
その他、第１の薬剤１５の薬剤が第２の薬剤２４の薬剤に比べ毒性が低い薬剤、又は第１の薬剤１５の薬剤が第２の薬剤２４の薬剤に比べ臭いや香りが弱い薬剤、又は揮散性の違いによって選択して使用することもできる。
【００３３】
次に、各部の具体形状を説明する。
前記装置本体１は、上面板１６（上面１ａ）と下面板１７（下面１ｂ）と一対の側面板１８と端面板１９で他端が開口した扁平な矩形箱形状で、その他端の開口が吐出口１２で、上面板１６に吸込口１１が形成してある。
前記装置本体１内は仕切壁１ｃでファン収容室１ｄと電池収容室１ｅに区画され、そのファン収容室１ｄにファン１３と、そのファン１３を駆動するモータ１３ａが設けてある。
前記電池収容室１ｅには電池１ｆが設けられ、この電池１ｆによってモータ１３ａが駆動される。
前記ファン収容室１ｄが吸込口１１と吐出口１２に開口連通して前述の空気流通路１０を形成している。
【００３４】
前記第１の薬剤１５は図４に示すように、プレート状の薬剤保持体１５ａに薬剤を含浸し、その薬剤保持体１５ａをハウジング１５ｂに設けてある。
このハウジング１５ｂには孔１５ｃが形成され、この孔１５ｃを前記突起１４ａに嵌合して図３に示すように着脱自在に取付けられる。
なお、ハウジング１５ｂに凸部（突起）を設け、上面板１６（上面１ａ）に凹部（孔）を設けても良い。
【００３５】
前記放出体２の上面２ａと装置本体１の上面１ａ（上面板１６）とに亘ってヒンジ３が取付けてあり、放出体２を張り出し姿勢とした時に装置本体１の吐出口１２の開口端面１２ａと放出体２の流入口２０の開口端面２０ａが接する。
前記放出体２の上面２ａは、図３に示すように収納姿勢とした時に第１の薬剤１５（ハウジング１５ｂ）に接するので、その部分に凹溝２５を形成し、この凹溝２５に沿って第１の薬剤１５に空気が流れるようにしてある。
【００３６】
前述の実施の形態では、放出体２を１８０度回動自在として張り出し姿勢の時の放出体２が真横に向かうようにしたが、これに限ることはない。
例えば、放出体２をほぼ９０度回動自在として張り出し姿勢の時に放出体２が真上に向かうようにしても良い。
具体的には、図５、図６に示すように装置本体１の吐出口１２の開口端面１２ａを上向きとし、放出体２の流入口２０の開口端面２０ａが接することで放出体２が真上に向かうようにする。
この実施の形態には、放出体２が張り出し姿勢の時に保持する保持手段が設けてある。例えば、吐出口１２の開口端面１２ａに係合凹部１２ｂを形成し、流入口２０の開口端面２０ａに係合突部２０ｂを設け、この係合突部２０ｂを係合凹部１２ｂに係合することで放出板２を張り出し姿勢で保持する。
【００３７】
前記装置本体１の薬剤取付部１４は、上面１ａの吸込口１１の周縁に沿ってリング状の突片１４ｂを設けて凹陥形状としてある。
前記第１の薬剤１５は空気が流通する薬剤容器１５ｄ内に粒状の薬剤保持体１５ｅを多数充填したものとしてある。
そして、第１の薬剤１５を図６に示すように凹陥形状の薬剤取付部１４に嵌め込むようにして取付ける。
【００３８】
前記装置本体１の上面１ａに放出体支持部１ｇを形成し、放出体２が収納姿勢の時には放出体２の当接部２ｂが放出体支持部１ｇに当接して第１の薬剤１５の上面と放出体２との間に隙間が形成されるようにしてある。
【００３９】
前記放出体２の薬剤取付部２３は流路２２の流出口２１寄り部分としてある。
前述第２の薬剤２４は、フランジ付きの筒状体２４ａ内に薬剤を含浸した薬剤保持体２４ｂを充填したもので、その筒状体２４ａのフランジが放出体２の流出口２１の開口端面２１ａに接するようにして取付けてある。
このようにすることで、放出体２が張り出し姿勢の時に第２の薬剤２４を取り出し、取付けできるから、交換可能である。
【００４０】
前記第２の薬剤２４について詳細に説明する。
前記薬剤保持体の形状としては、筒形状、棒形状、平板形状、ジャバラ形状、円弧形状、網形状、格子形状、スノコ形状、ハニカム形状、その他、袋や容器に収納した収納具形状、などが挙げられる。また、この素材としては、紙、不織布、織編物、合成樹脂、多孔物質、木材、金属、その他、乾燥及び／又は薬剤処理により加工された植物体、などが挙げられる。また、薬剤の保持処理方法としては、含浸、塗布、混合加工成型、印刷、積層、付着、その他、ハーブなどの薬効素材自体、などが挙げられる。
【００４１】
そして、第２の薬剤２４（薬剤保持体）の大きさ、形状、放出体２への取付け方、取付ける数は限定されるものではなく、薬剤の種類、薬量、保持体の材質、又は使用する目的などによって決めることができる。
【００４２】
前記第２の薬剤２４は、放出体２の流路２２内に、その薬剤保持体の外面と流路２２の内面との間に空気が流通するように設けることができる。この薬剤保持体は１つに限ることはなく、複数としても良い。その場合には複数の薬剤を幅方向に設けたり、長手方向に直列に設けることができる。
【００４３】
前記第２の薬剤２４は、その薬剤保持体がプレート形状の時には、図７（ａ）に示すように放出体２の対向した内面２ｂに溝２５を形成して薬剤取付部２３とし、その溝２５間に長手方向から嵌合して取付けできる。
また、図７（ｂ）に示すように放出体２の対向した内面２ｂに突条２６を形成し、対向した他の内面２ｃと突条２６との間に上下の薬剤取付部２３とし、その各薬剤取付部２３に長手方向から挿入して取付けできる。
また、図７（ｃ）に示すように、放出体２の隅角部２ｄを薬剤取付部２３とし、斜めに取付けできる。
また、図７（ｄ）に示すように、放出体２の対向した他の内面２ｃに複数の溝２７を相対向して形成し、複数の薬剤取付部２３とし、いずれか１つ又は複数の溝２７間に長手方向から挿入して取付けできる。
また、図示は省略するが放出体２の流入口２０の開口端面２０ａ又は流出口２１の開口端面２１ａに開口したスリットを長手方向に形成し、第２の薬剤２４をスリットに挿入して取付けることもできる。
【００４４】
また、第２の薬剤２４は放出体２の長手方向と直角方向から挿入して取付けるようにしても良い。
例えば、図８（ａ）に示すように放出体２を対向した左右の縦板３０と上横板３１と下横板３２で矩形断面の筒形状とし、その左右の縦板３０に薬剤挿通用の孔３３を相対向して形成する。
第２の薬剤２４（薬剤保持体）を一方の孔３３から挿通し、他方の孔３３から突出して左右の縦板３０に跨って支持して取付ける。
【００４５】
前述のようにして取付ける場合に、第２の薬剤２４は上板３１、下板３２と平行で、上板３１の内面３１ａ、下板３２の内面３２ａとの間に隙間があり、その隙間を通って空気が流通する。
【００４６】
なお、図示は省略するが前述の薬剤挿通用の孔３３を上板３１と下板３２に連続する斜めの形状とし、第２の薬剤２４が斜めとなって上下板３１，３２の内面３１ａ，３２ａに接するようにしたり、前記薬剤挿通用の孔３３を上板３１の内面３１ａ、下板３２の内面３２ａまで連続すると共に、その上下板３１，３２の内面３１ａ，３２ａに孔３３と連続した溝を形成し、第２の薬剤２４をその溝に嵌まり込むようにして取付けても良い。
この場合には、放出体２の流路２２が第２の薬剤２４で閉塞され、空気は第２の薬剤２４を通過して流通する。
【００４７】
また、図８（ｂ）に示すように、放出体３１に薬剤挿通用の孔３４を形成し、第２の薬剤２４を矢印で示すように孔３４から挿入して下板３２の内面３２ａに接するようにして取付けても良い。
この場合には、左右の縦板３０の内面３０ａと第２の薬剤２４との間に隙間があり、その隙間を通って空気が流通する。
【００４８】
また、図示は省略するが、前述の孔３４を上板３１と左右の縦板３０とに連続して長手方向と直角方向に形成し、第２の薬剤２４を上から孔３４に挿入して取付けるようにしても良い。
この場合には、放出体２の流路２２が第２の薬剤２４で閉塞され、空気は第２の薬剤２４を通過して流通する。
【００４９】
前記第２の薬剤２４は、図９、図１０に示すように放出体２に取付けても良い。
前記放出体２の上板３１に開口部３５を形成すると共に、下板３２の内面３２ａに凹部３６を形成し、第２の薬剤２４を開口部３５から挿入して凹部３６に嵌合して取付け、前記開口部３５を蓋３７で閉塞する。
また、図示は省略するが左右一方の縦板３０に開口部を形成し、左右他方の縦板３０の内面に凹部を形成し、第２の薬剤２４を開口部から挿入して凹部に嵌合することで取付けるようにしても良い。
【００５０】
このようにすれば、開口部３５が蓋３７で閉塞され、第２の薬剤２４が開口部３５から外気に触れることがないので、無駄な薬剤の放散が低減する。
【００５１】
また、図示は省略するが、放出体２の流路２２内に、複数の第２の薬剤２４を長手方向に並設して取付けても良い。
【００５２】
前記第１の薬剤１５は、図５に示す凹陥形状の薬剤取付部１４に合致した形状に成形した薬剤保持体のみとし、その薬剤保持体を薬剤取付部１４に嵌合して取付けるようにしても良い。
また、第１の薬剤１５はファン１３に取付けしても良い。この場合には装置本体１からファン１３を取り出し可能としたり、第１の薬剤１５をファン１３まで挿入したり、取り出したりできるようにする。
【００５３】
前記装置本体１、放出体２の高さ、幅は任意なものとすることができる。
例えば、装置本体１の高さよりも放出体２の高さが小さくしても良い。
このようにすれば、より狭い隙間に放出体２を挿入できる。
この場合には、装置本体１の上面板１６における吐出口１２寄りを斜めとして吐出口１２と流入口２０の高さ寸法を同一とする。
【００５４】
また、放出体２の流入口２０側部分の高さを装置本体１の高さと同一とし、その放出体２の他の部分の高さを装置本体１の高さよりも小さくしても良い。
また、放出体２の流入口２０側部分の高さを装置本体１の高さと同一とし、流出口２１側部分に向けて順次高さが小さくなった高さ方向に先細り形状としても良い。
また、放出体２の流入口２０側部分の幅を大きく、流出口２１側部分に向けて順次幅が小さくなった幅方向に先細り形状としても良い。
また、装置本体１の幅よりも放出体２の幅を小さくしても良い。この場合には吐出口１２の開口幅を小さくして放出体２の流入口２０の開口幅と同一とする。
前述のようにすることで、放出体２の流出口２１の開口面積を流入口２０の開口面積よりも小さくすれば、第２の薬剤２４を含有した空気を１ヶ所に向けて集中的に放出することができる。
これによって、放出体２の流出口２１から害虫個体などの標的に向けて薬剤を確率良く放散できる。
【００５５】
前述の実施の形態では、放出体２の収納姿勢を、装置本体１の上面１ａに重なり合うようにしたが、放出体２を装置本体１の下面１ｂに重なり合うようにしても良い。
【００５６】
前述の実施の形態では、放出体２を張り出し姿勢とした時に、吐出口１２の開口端面１２ａと流入口２０の開口端面２０ａを接して放出体２の流路２２に空気を流通するようにしたが、これに限ることはなく、放出体２を装置本体１に回動自在に連結するヒンジ３を通して放出体２の流路２２に空気が流通するようにしても良い。
【００５７】
例えば、図１１〜図１４に示すように、放出体２の流入口２０側に端面板３８を形成し、この端面板３８を左右の縦板３０と連続した半円形状とすると共に、補助流出口３８ａを形成し、上板３１と下板３２には孔３９をそれぞれ形成する。
装置本体１の吐出口１２に有底の筒体４０を取付け、この筒体４０の外周面に前記孔３９と端面板３８を回転自在に接し、放出体２を水平方向に回動自在とするヒンジ３とする。
この筒体４０には補助流入口４１を形成する。
【００５８】
そして、放出体２が図１１に示すように張り出し姿勢の時には、図１１、図１３に示すように、補助流入口４１が放出体２の流入口２０と連通すると共に、筒体４０の内部は補助流出口３８ａと遮断される。
これによって、ファン１３による空気は吐出口１２、筒体４０の内部、補助流入口４１を経て放出体２の流入口２０に流通する。
【００５９】
前記放出体２を図１２に示すように収納姿勢に回動すると、図１２と図１４に示すように、補助流入口４１が補助流出口３８ａに連通すると共に、筒体４０の内部は放出体２の流入口２０と遮断される。
これによって、ファン１３による空気は吐出口１２、筒体４０の内部、補助流入口４１、補助流出口３８ａを経て大気に流出する。
【００６０】
また、放出体２は水平方向に回動するから、前述した上下寸法の小さな狭い空間内で張り出し姿勢とすることができる。
【００６１】
この実施の形態の場合でも、第１の薬剤１５、第２の薬剤２４は前述の第１の実施の形態と同様に種々のものを用いることができる。
【００６２】
また、前述の実施の形態では放出体２を水平方向に回動自在とするヒンジ２を通して空気を流通するようにしたが、放出体２を上下方向に回動自在とするヒンジ３を通して放出体２に空気を流通するようにしても良い。
例えば、図１５〜図１８に示すように、ヒンジ３を突起部５０と一対の突片５１と軸５２を備えたものとする。
前記突起部５０は装置本体１に設けられ、この突起部５０は円弧状の外周面５０ａを有し、その外周面５０ａに吐出口１２が開口している。
前記一対の突片５１は、前記放出体２の流入口２０側において前記突起部５０の長手方向両端面５０ｂと対向してあり、この一対の突片５１間に突起部５０が回転可能に入り込み、突片５１と突起部５０が軸５２で上下回転自在に連結される。
前記放出体２の流入口２０の上下開口縁には、前記突起部５０の外周面５０ａに接する円弧状の上下一方の一側壁５３と直線状の上下他方の他側壁５４が設けてある。
前記放出体２の流入口２０の左右開口縁には前記一対の突片５１が設けられ、この一対の突片５１は前記一側壁５３、他側壁５４よりも突出している。
【００６３】
前記放出体２が図１７、図１８で示す収納姿勢の時には、放出体２は突起部５０における吐出口１２の開口部１２ｂ側（図１８で左側）と反対側（図１８で右側）に位置し、その一側壁５３、他側壁５４は吐出口１２の開口部１２ｂと離れて吐出口１２は外部に直接開口する。
【００６４】
前記放出体２が図１５、図１６で示す張り出し姿勢の時には、放出体２は突起部５０における吐出口１２の開口部１２ｂ側（図１６で左側）に位置し、その一側壁５３と他側壁５４が突起部５０の外周面５０ａにおける吐出口１２の開口部１２ｂの上下にそれぞれ接し、吐出口１２と流入口２０が連通する。
【００６５】
この実施の形態においても第１・第２の薬剤１５，２４は前述の第１の実施の形態と同様に種々のものを用いることができる。
【００６６】
また、放出体２が上下方向に回動するから、前述の左右寸法の小さな狭い空間で放出体２を張り出し姿勢に回動できる。
【００６７】
前述の説明では放出体２が張り出し姿勢の時に、装置本体１に対して収納姿勢からほぼ１８０度回動したが、ほぼ９０度回動して張り出し姿勢としても良いし、ほぼ９０度〜１８０度の範囲で回動して張り出し姿勢としても良い。
【図面の簡単な説明】
【００６８】
【図１】本発明の第１の実施の形態を示す放出体が張り出し姿勢の時の断面図である。
【図２】本発明の第１の実施の形態を示す放出体が張り出し姿勢の時の平面図である。
【図３】本発明の第１の実施の形態を示す放出体が収納姿勢の時の断面図である。
【図４】第１の薬剤の平面図である。
【図５】本発明の第２の実施の形態を示す放出体が張り出し姿勢の時の断面図である。
【図６】本発明の第２の実施の形態を示す放出体が収納姿勢の時の断面図である。
【図７】第２の薬剤を放出体に長手方向から挿入して取付ける実施の形態である。
【図８】第２の薬剤を放出体に長手方向と直角方向から挿入して取付ける実施の形態である。
【図９】第２の薬剤を放出体に上から挿入して取付ける実施の形態の取り出し状態の斜視図である。
【図１０】取付けた状態の断面図である。
【図１１】本発明の第３の実施の形態を示す放出体が張り出し姿勢の時の断面図である。
【図１２】本発明の第３の実施の形態を示す放出体が収納姿勢の時の断面図である。
【図１３】図１１のＡ−Ａ断面図である。
【図１４】図１２のＢ−Ｂ断面図である。
【図１５】本発明の第４の実施の形態を示す放出体が張り出し姿勢の時の平面図である。
【図１６】本発明の第４の実施の形態を示す放出体が張り出し姿勢の時の断面図である。
【図１７】本発明の第４の実施の形態を示す放出体が収納姿勢の時の平面図である。
【図１８】本発明の第４の実施の形態を示す放出体が収納姿勢の時の断面図である。
【符号の説明】
【００６９】
１…装置本体、２…放出体、３…ヒンジ、１１…吸込口、１２…吐出口、１３…ファン、１４…薬剤取付部、１５…第１の薬剤、２０…流入口、２１…流出口、２２…流路、２３…薬剤取付部、２４…第２の薬剤。
【図１】
2008263813.tif 000003
【図２】
2008263813.tif 000004
【図３】
2008263813.tif 000005
【図４】
2008263813.tif 000006
【図５】
2008263813.tif 000007
【図６】
2008263813.tif 000008
【図７】
2008263813.tif 000009
【図８】
2008263813.tif 000010
【図９】
2008263813.tif 000011
【図１０】
2008263813.tif 000012
【図１１】
2008263813.tif 000013
【図１２】
2008263813.tif 000014
【図１３】
2008263813.tif 000015
【図１４】
2008263813.tif 000016
【図１５】
2008263813.tif 000017
【図１６】
2008263813.tif 000018
【図１７】
2008263813.tif 000019
【図１８】
2008263813.tif 000020